【事件の表示】
　平成１１年商標登録願第１０６０３８号拒絶査定に対する審判事件について、次のとおり審決する。
【結　論】
　原査定を取り消す。
　本願商標は、登録すべきものとする。
【理　由】
１　本願商標
　本願商標は、「ＭＥＴＳＯ」の欧文字を標準文字を用いて横書きしてなり、商品及び役務の区分第７，９，１１，１２，３７類に属する願書記載のとおりの商品又は役務を指定商品又は指定役務として、平成１１年１１月１８日（パリ条約による優先権主張　１９９９（平成１１）年５月１８日（ＦＩ）フィンランド共和国）に登録出願され、その後、指定商品又は指定役務については、同１４年３月７日付手続補正書により、第７類「金属加工機械器具，鉱山機械器具，土木機械器具，荷役機械器具，化学機械器具，製材用・木工用又は合板用の機械器具，パルプ製造用・製紙用又は紙工用の機械器具，印刷用の機械器具，包装用機械器具，動力機械器具（陸上の乗物用のもの及び「水車・風車」を除く。），陸上の乗物用の動力機械の部品，水車，風車，風水力機械器具，植物粗製繊維加工機械器具，搾乳機，修繕用機械器具，塗装機械器具，軸，軸受，軸継ぎ手，ベアリング，動力伝導装置，制動装置，バルブ」、第１１類「冷凍機械器具，飼料乾燥装置，乾燥装置，換熱器，蒸煮装置，蒸発装置，蒸留装置，熱交換器，暖冷房装置，タンク用水位制御弁，パイプライン用栓，汚水浄化槽，し尿処理槽」、第３７類「建築一式工事，しゅんせつ工事，土木一式工事，舗装工事，石工事，ガラス工事，鋼構造物工事，左官工事，大工工事，タイル・れんが又はブロックの工事，建具工事，鉄筋工事，塗装工事，とび・土工又はコンクリートの工事，内装仕上工事，板金工事，防水工事，屋根工事，管工事，機械器具設置工事，さく井工事，電気工事，電気通信工事，熱絶縁工事，建築設備の運転，船舶の建造，船舶の修理又は整備，航空機の修理又は整備，自転車の修理，鉄道車両の修理又は整備，印刷用又は製本用の機械器具の修理又は保守，化学機械器具の修理又は保守，金属加工機械器具の修理又は保守，耕うん機械器具（手持ち工具に当たるものを除く。）の修理又は保守，工業用炉の修理又は保守，鉱山機械器具の修理又は保守，ゴム製品製造機械器具の修理又は保守，栽培機械器具の修理又は保守，搾乳機の修理又は保守，自動販売機の修理又は保守，収穫機械器具の修理又は保守，浄水装置の修理又は保守，照明用器具の修理又は保守，植物粗製繊維加工機械器具の修理又は保守，飼料圧搾機の修理又は保守，飼料裁断機の修理又は保守，飼料配合機の修理又は保守，飼料粉砕機の修理又は保守，製材用・木工用又は合板用の機械器具の修理又は保守，測定機械器具の修理又は保守，暖冷房装置の修理又は保守，貯蔵槽類の修理又は保守，電気通信機械器具（電話機・ラジオ受信機及びテレビジョン受信機を除く。）の修理又は保守，電子計算機（中央処理装置及び電子計算機用プログラムを記憶させた電子回路・磁気ディスクその他の周辺機器を含む。）の修理又は保守，電動機の修理又は保守，塗装機械器具の修理又は保守，土木機械器具の修理又は保守，バーナーの修理又は保守，廃棄物圧縮装置の修理又は保守，廃棄物破砕装置の修理又は保守，配電用又は制御用の機械器具の修理又は保守，発電機の修理又は保守，パルプ製造用・製紙用又は紙工用の機械器具の修理又は保守，半導体製造装置の修理又は保守，プラスチック加工機械器具の修理又は保守，ボイラーの修理又は保守，包装用機械器具の修理又は保守，ポンプの修理又は保守，民生用電気機械器具の修理又は保守，理化学機械器具の修理又は保守，冷凍機械器具の修理又は保守，ガス湯沸かし器の修理又は保守，加熱器の修理又は保守，なべ類の修理又は保守，し尿処理槽の清掃，貯蔵槽類の清掃，道路の清掃，土木機械器具の貸与」に減縮する補正がなされたものである。
　
２　原査定の拒絶の理由の要点
　原査定は、登録第１４４８３３１号商標（以下「引用１商標」という。）、登録第２１０７９９９号商標（以下「引用２商標」という。）、登録第２４５８２３９号商標（以下「引用３商標」という。）、登録第２４６９１７４号商標（以下「引用４商標」という。）、登録第２６２６９５３号商標（以下「引用５商標」という。）、登録第３２００８０１号商標（以下「引用６商標」という。）及び登録第３３２９７５７号商標（以下「引用７商標」という。）を引用し、「本願商標は引用各商標と同一又は類似の商標であって、その商標に係る指定商品と同一又は類似の商品について使用をするものであるから、商標法第４条第１項第１１号に該当する。」旨を認定、判断して、本願を拒絶したものである。
　引用１商標は「ＭＥＺＺＯ」の欧文字を横書きした構成よりなり、第１７類「被服、布製身回品、寝具類」を指定商品とし、昭和５０年６月７日に登録出願され、同５５年１２月２５日に設定登録、その後、平成３年６月２６日及び同１２年１２月２６日に商標権の存続期間の更新登録がなされ、同１３年１０月１０日に、第２０類「クッション，座布団，まくら，マットレス」、第２２類「衣服綿，ハンモック，布団袋，布団綿」、第２４類「布製身の回り品，かや，敷き布，布団，布団カバー，布団側，まくらカバー，毛布」、第２５類「洋服，コート，セーター類，ワイシャツ類，寝巻き類，下着，水泳着，水泳帽，和服，エプロン，えり巻き，靴下，ゲートル，毛皮製ストール，ショール，スカーフ，足袋，足袋カバー，手袋，布製幼児用おしめ，ネクタイ，ネッカチーフ，バンダナ，保温用サポーター，マフラー，耳覆い，ずきん，すげがさ，ナイトキャップ，ヘルメット，帽子」に指定商品の書換登録がなされたものであり、
引用２商標は、「メッツォ」の片仮名文字及び「ＭＥＺＺＯ」の欧文字を横書きしたものを上下二段に併記した構成よりなり、第１２類「輸送機械器具、その部品及び附属品」を指定商品とし、昭和６１年９月２４日に登録出願され、平成元年１月２３日に設定登録、その後、同１１年２月２３日に商標権の存続期間の更新登録がなされたものであり、
引用３商標は、「メッツォ」の片仮名文字及び「ＭＥＺＺＯ」の欧文字を横書きしたものを上下二段に併記した構成よりなり、第１１類「電気機械器具、電気通信機械器具、電子応用機械器具（医療機械器具に属するものを除く）電気材料」を指定商品とし、平成元年１０月１７日に登録出願され、同４年９月３０日に設定登録、その後、同１４年７月９日に商標権の存続期間の更新登録がなされたものであり、
引用４商標は、「ＭＥＺＺＯ」の欧文字を横書きした構成よりなり、第１１類「電気機械器具、電気通信機械器具、電子応用機械器具（医療機械器具に属するものを除く）電気材料」を指定商品とし、平成元年１０月２５日に登録出願され、同４年１０月３０日に設定登録されたものであり、
引用５商標は、「メッツォ」の片仮名文字及び「ＭＥＺＺＯ」の欧文字を横書きしたものを上下二段に併記した構成よりなり、第２０類「家具、畳類、建具、屋内装置品、屋外装置品、記念カツプ類、葬祭用具」を指定商品とし、平成３年１１月２５日に登録出願され、同６年２月２８日に設定登録されたものであり、
引用６商標は、「メッツォー」の片仮名文字及び「ＭＥＺＺＯ」の欧文字を横書きしたものを上下二段に併記した構成よりなり、第１６類「文房具類，事務用又は家庭用ののり及び接着剤，製図用具」を指定商品とし、平成５年８月２０日に登録出願され、同８年９月３０日に設定登録されたものであり、
引用７商標は、「ＭＥＺＺＯ」の欧文字を横書きした構成よりなり、第９類「理化学機械器具，測定機械器具，写真機械器具，映画機械器具，光学機械器具，眼鏡，加工ガラス（建築用のものを除く。），レコード，映写フィルム，スライドフィルム，スライドフィルム用マウント，録画済みビデオディスク及びビデオテープ，犬笛，家庭用テレビゲームおもちゃ，メトロノーム」を指定商品とし、平成６年７月１日に登録出願され、同９年７月４日に設定登録されたものであり、
引用８商標は、「ＭＥＴＺＯａｉｒ」の欧文字を標準文字を用いて横書きした構成よりなり、第１７類「プラスチック基礎製品」を指定商品とし、平成１１年１月１１日（パリ条約による優先権主張　１９９８（平成１０）年７月１３日（ＤＥ）ドイツ連邦共和国）に登録出願され、同１３年３月１６日に設定登録されたものであって、いずれも現在も有効に存続中である。
　
３　当審の判断
　本願商標は、上記のとおり「ＭＥＴＳＯ」の文字よりなるところ、全体として親しまれた特定の読み・観念を有する既存の語ではないことから、我が国で親しまれた外国語である英語の例に倣って称呼される場合も少なくないことから、「Ｍｅｔｓ」が「メッツ」と称呼されるに倣い、「Ｍｅｔｓ」に「Ｏ」が付加されたものとして把握された場合、「メッツオー」と称呼されるとみられ、本願商標からは、該構成文字に相応した「メットソ」の他に「メッツオー」の称呼を生ずるものというのが相当である。
　しかして、本願商標は、その指定商品又は指定役務について前記１のとおり補正された結果、原査定における引用各商標の指定商品又は指定役務と同一又は類似の商品又は役務は、すべて削除されたと認められるものである。
　したがって、本願商標が商標法第４条第１項第１１号に該当するとして本願を拒絶した原査定の拒絶の理由は解消した。
　その他、本願について拒絶の理由を発見しない。
　よって、結論のとおり審決する。